(57)【要約】【課題】可撓性のある光ディスクの品質を維持する。【解決手段】可撓性ディスクの回転を、安定化板により空気力学的に安定しつつ、可撓性ディスクに情報の記録及び再生を行なう際に、可撓性ディスクの回転開始時及び停止時など、ディスクの回転が所定の回転数以下である場合には、安定化板の対向面をディスクに対し凸形状に変形し、ディスク表面と収容部材の対向面との干渉を回避する。これにより、ディスク表面と安定化板の対向面とが摺動することにより、ディスク表面に生じる傷等の発生を低減することができ、長期にわたってディスクの品質を維持することが可能となる。【選択図】図１
2008010050.tif 000002
【特許請求の範囲】
【請求項１】
可撓性を有するディスクに対し、情報の記録及び再生の少なくとも一方を行うディスク装置であって、
前記ディスクを回転する回転機構と；
一側の面が前記ディスクに対向して配置され、前記ディスクに対向する部分の少なくとも一部に可撓性を有する安定化板と；
前記安定化板の前記ディスクに対向する部分を湾曲させる変形機構と；を備えるディスク装置。
【請求項２】
前記変形機構は、前記安定化板の両端を、前記ディスクの回転軸方向に移動して、前記一側の面を湾曲させることを特徴とする請求項１に記載のディスク装置。
【請求項３】
前記変形機構は、前記安定化板の両端を、前記ディスクに対して近づける方向へ駆動する際に、前記安定化板の他側の面を押圧する、空気力学的に有効な作用面形状の押圧面を有することを特徴とする請求項２に記載のディスク装置。
【請求項４】
少なくとも一部に可撓性を有する収容部材に収容されたディスクに対し、情報の記録及び再生の少なくとも一方を行うディスク装置であって、
前記収容部材に収容されたディスクを回転する回転機構と；
前記収容部材を変形させて、前記ディスクに対向する部分を湾曲させる変形機構と；を備えるディスク装置。
【請求項５】
前記変形機構は、前記対向する部分の両端を、前記ディスクの回転軸方向に移動して、前記対向する部分を湾曲させることを特徴とする請求項４に記載のディスク装置。
【請求項６】
前記変形機構は、前記対向する部分の両端を、前記ディスクに対して近づける方向へ移動する際に、前記収容部材の前記対向する部分の反対側を押圧する、空気力学的に有効な作用面形状の押圧面を有することを特徴とする請求項５に記載のディスク装置。
【請求項７】
可撓性を有する複数のディスクを収納するディスクカートリッジであって、
前記ディスクに対向する部分に可撓性を有し、前記ディスクをそれぞれ収容する複数の収容部材と； 
前記複数の収容部材それぞれを、着脱可能に収納するケーシングと；を備えるディスクカートリッジ。
【請求項８】
前記収容部材は、前記ディスクが載置されるトレイであることを特徴とする請求項７に記載のディスクカートリッジ。
【請求項９】
前記収容部材は、前記ディスクを収容するケースであることを特徴とする請求項７に記載のディスクカートリッジ。
【請求項１０】
請求項１〜３のいずれか一項に記載のディスク装置を用いたディスク駆動方法であって、
前記安定化板の一側の面を、前記ディスクに対し凸形状に変形する工程と；
前記安定化板の一側の面が前記ディスクに対し凸形状となった後に、前記ディスクの回転を開始する工程と；
前記ディスクが予め設定された回転数以上になったときに、前記安定化板の一側の面を、平面又は前記ディスクに対し凹形状に変形する工程と；を含むディスク駆動方法。
【請求項１１】
前記ディスクが予め設定された回転数以下になったときに、前記安定化板の一側の面を前記ディスクに対し凸形状に変形して、前記ディスクの回転を停止する工程を更に含む請求項１０に記載のディスク駆動方法。
【発明の詳細な説明】
【技術分野】
【０００１】
本発明は、ディスクカートリッジ、ディスク装置、及びディスク駆動方法に係り、更に詳しくは、可撓性を有するディスクを収容するディスクカートリッジ、可撓性を有するディスクに対し、情報の記録及び再生の少なくとも一方を行うディスク装置、及び可撓性を有するディスクを駆動するディスク駆動方法に関する。
【背景技術】
【０００２】
近年、デジタル技術の進歩やデータの圧縮技術の向上などにともない、光ディスクの大容量化が要求されている。この要求に対する主な方策としては、レーザ光の波長を短くし、対物レンズの開口数（ＮＡ）を大きくすることで、情報の記録又は再生のために用いられるレーザ光のスポット径を小さくすることがあげられる。しかしながら、上述したようにスポット径を小さくすると、対物レンズを含む光学系の焦点深度が狭小化するとともに、対物レンズと光ディスクの記録面との距離を短く設定することが必要となるため、光ディスクの面ぶれを極力小さくする必要がある。
【０００３】
このような背景から、可撓性を有するシート（薄膜）に記録面が形成された光ディスク（以下、可撓性ディスクともいう）の開発がすすめられ、この光ディスクを安定化板上で回転させることにより、可撓性ディスクに生じる面ぶれを空気力学的に抑制する光ディスク装置が提案されている（例えば、特許文献１、及び特許文献２参照）。特許文献１及び特許文献２に記載のディスク装置では、回転する可撓性ディスクと安定化板との距離を、例えば０．１０〜０．２０ｍｍに調整することによって、可撓性ディスクの面ぶれを空気力学的に安定化することができる。しかしながら、可撓性ディスクの始動時及び停止時には、可撓性ディスクと安定化板とが接触して摺動してしまうため、可撓性ディスクを繰り返し使用する場合には、その耐用年数が短かくなってしまうという不都合がある。
【０００４】
【特許文献１】特開２００６−１０７６９８号公報
【特許文献２】特開２００６−１０７６９９号公報
【発明の開示】
【発明が解決しようとする課題】
【０００５】
本発明はかかる事情の下になされたもので、その第１の目的は、可撓性のあるディスクに対する情報の再生及び記録の少なくとも一方を、長期にわたり精度よく行うことが可能なディスク装置を提供することにある。
【０００６】
また、本発明の第２の目的は、可撓性のあるディスクに対する情報の再生及び記録の少なくとも一方を、長期にわたり精度よく行うことが可能なディスクカートリッジを提供することにある。
【０００７】
また、本発明の第３の目的は、可撓性のあるディスクを、ディスクにストレスをかけることなく駆動することが可能なディスク駆動方法を提供することにある。
【課題を解決するための手段】
【０００８】
本発明は、第１の観点からすると、可撓性を有するディスクに対し、情報の記録及び再生の少なくとも一方を行うディスク装置であって、前記ディスクを回転する回転機構と；一側の面が前記ディスクに対向して配置され、前記ディスクに対向する部分の少なくとも一部に可撓性を有する安定化板と；前記安定化板の前記ディスクに対向する部分を湾曲させる変形機構と；を備えるディスク装置である。
【０００９】
これによれば、可撓性を有するディスクを回転する際に、変形機構により安定化板をディスクに対して凹形状に湾曲することにより、安定化板のディスクに対向する対向面を、回転するディスクに空気力学的に作用させ、ディスクの回転を安定化することができる。また、ディスクの回転を開始する際、及び回転を停止する際には、安定化板の対向面を、変形機構によりディスクに対し凸形状に湾曲することにより、ディスク表面と安定化板の対向面とが干渉することを回避することができる。したがって、ディスクを回転する際に、ディスク表面と安定化板とが摺動することにより、ディスク表面に生じる傷の発生を低減することができ、長期にわたってディスクの品質を維持し、情報の再生及び記録の少なくとも一方を精度よく行うことが可能となる。
【００１０】
本発明は、第２の観点からすると、少なくとも一部に可撓性を有する収容部材に収容されたディスクに対し、情報の記録及び再生の少なくとも一方を行うディスク装置であって、前記収容部材に収容されるディスクを回転する回転機構と；前記収容部材を変形させて、前記ディスクに対向する部分を湾曲させる変形機構と；を備えるディスク装置である。
【００１１】
これによれば、可撓性を有するディスクを回転する際に、変形機構により収容部材のディスクに対向する対向面を、ディスクに対して凹形状に湾曲することにより、収容部材の対向面を回転するディスクに対して空気力学的に作用させ、ディスクの回転を安定化することができる。また、ディスクの回転を開始する際、及び回転を停止する際には、収容部材の対向面を、変形機構によりディスクに対し凸形状に変形することにより、ディスク表面と収容部材とが干渉することを回避することができる。したがって、ディスクを回転する際に、ディスク表面と安定化板とが摺動することにより、ディスク表面に生じる傷の発生を低減することができ、長期にわたってディスクの品質を維持し、情報の再生及び記録の少なくとも一方を精度よく行うことが可能となる。
【００１２】
本発明は、第３の観点からすると、可撓性を有する複数のディスクを収納するディスクカートリッジであって、前記ディスクに対向する部分に可撓性を有し、前記ディスクをそれぞれ収容する収容部材と；前記複数の収容部材それぞれを、着脱可能に収納するケーシングと；を備えるディスクカートリッジである。
【００１３】
これによれば、ディスクカートリッジに収容された可撓性を有する複数のディスクは、それぞれ可撓性のある収容部材に収容されている。これにより、ディスクに対して情報の記録及び再生の少なくとも一方を行う場合には、収容部材のディスク対向する対向面をディスクに対して凹形状に湾曲することで、対向面をディスクに対し空気力学的に作用させ、回転を安定化することができる。また、ディスクの回転を開始する際、及び回転を停止する際には、収容部材の対向面を、ディスクに対し凸形状に湾曲し、ディスク表面と収容部材とが干渉することを回避することができる。したがって、ディスク表面と収容部材とが摺動することにより、ディスク表面に生じる傷の発生を低減することができ、長期にわたってディスクの品質を維持し、情報の再生及び記録の少なくとも一方を精度よく行うことが可能となる。
【００１４】
本発明は、第４の観点からすると、本発明のディスク装置を用いたディスク駆動方法であって、前記安定化板の一側の面を、前記ディスクに対し凸形状に変形する工程と；前記安定化板の一側の面が、前記ディスクに対し凸形状となった後に、前記ディスクの回転を開始する工程と；前記ディスクが予め設定された回転数以上になったときに、前記安定化板の一側の面を、平面又は前記ディスクに対し凹形状に変形する工程と；を含むディスク駆動方法である。
【００１５】
これによれば、ディスクの回転を開始する際には、安定化板の対向面が、ディスクに対して凸形状に湾曲され、ディスク表面と収容部材の対向面とが干渉することが回避される。したがって、ディスクを回転する際に、ディスク表面と安定化板とが摺動することによりディスクが受けるストレスを回避しつつ、ディスクを駆動することが可能となる。
【発明を実施するための最良の形態】
【００１６】
《第１の実施形態》
【００１７】
以下、本発明の第１の実施形態を図１〜図３（Ｂ）に基づいて説明する。図１には、第１の実施形態に係るディスク装置１００の概略構成が示されている。
【００１８】
ディスク装置１００は、可撓性のある光ディスク２０に対し情報の記録及び再生を行うことが可能な光ディスク装置である。このディスク装置１００は、図１に示されるように、Ｚ軸に平行な回転軸２２ａを有するモータ２２、該モータ２２の回転軸２２ａの＋Ｚ側端部に固定されたディスクチャック２４、光ディスク２０に対し情報の記録及び再生を行うピックアップ２６、光ディスク２０の回転を安定させる安定化板３０、安定化板３０の下方に配置された１対の駆動機構３１Ａ,３１Ｂ、上記各部を収容する本体（ハウジング）１０、及び上記各部を統括的に制御する不図示の制御装置などを備えている。
【００１９】
前記光ディスク２０としては、例えば、厚さ１００μｍ、外径１２０ｍｍで中央に丸孔が形成された円形板状のポリカーボネイト製のシートをディスク基板とし、このシート上面（＋Ｚ側の面）の内周直径５０ｍｍから外周直径１１６ｍｍまでの領域に記録層が成膜された可撓性を有する光ディスクが用いられる。
【００２０】
前記記録層は、シート上面に、まずスタンパのピッチ０．６μｍ、幅０．３μｍのグルーブを熱転写した後に、スパッタリングにより順次厚さ１２０ｎｍのＡｇ反射層、厚さ７ｎｍの（ＺｒＯ２−Ｙ２Ｏ３）−ＳｉＯ２層、厚さ１０ｎｍのＡｇＩｎＳｂＴｅＧｅ層、厚さ２５ｎｍのＺｎＳ−ＳｉＯ２層、厚さ１０ｎｍのＳｉ３Ｎ４層を成膜することにより形成されている。
【００２１】
また、光ディスク２０の表裏面には、記録層やディスク基板の保護のために、スピンコートしたＵＶ樹脂を紫外線を照射して硬化することにより厚さ１０μｍの透明保護膜が形成され、光ディスク２０の下面には、例えば、厚さ０．２ｍｍ、外径２９ｍｍで中心部に内径１５ｍｍの丸孔が形成された不図示のハブが、シートの中心と同心となるように貼り付けられている。
【００２２】
前記安定化板３０は、例えば、厚さ５００μｍ、外径１２３ｍｍのポリカーボネイト製の円形板状の部材からなる。この安定化板３０の中央には、前記ディスクチャック２４が配置される、例えば内径３０ｍｍの円形開口３０ａが形成されている。そして、図２に示されるように、安定化板３０の下面のうち、Ｙ軸に平行で安定化板３０の中心を通る直線Ｌから−Ｘ方向及び＋Ｘ方向へ距離Ｓ（ここでは１５ｍｍ程度とする）隔てたＹ軸に平行な２本の直線と、安定化板３０下面の外周とによって規定される領域、すなわち図２において着色された領域が、固定部材３２に固定されている。
【００２３】
図１に戻り、ディスクチャック２４は、円柱状の大径部と、該大径部の上端に設けられた小径部とを有する段付き円柱状の部材である。光ディスク２０はその中央に形成された丸孔にハブを介してディスクチャック２４の小径部が挿入され、大径部の上面によって下方から支持されることにより、その中心と安定化板３０の中心とが一致した状態でディスクチャック２４に装着されている。また、ここでは一例として光ディスク２０は、該光ディスク２０が平坦と仮定した時の下面と、安定化板３０の上面との距離が、例えば約１５０μｍとなるようにディスクチャック２４に装着されているものとする。
【００２４】
前記モータ２２は、回転軸２２ａを駆動することによりディスクチャック２４を介して光ディスク２０を、例えば約３０００〜１４０００ｒｐｍの範囲内で回転させる。光ディスク２０の回転数などは、不図示の制御装置により制御される。
【００２５】
前記ピックアップ２６は、光ディスク２０の上方（−Ｚ側）に配置され、光源、対物レンズを含む光学系、受光素子などを含む周知の構成のものが用いられている。ピックアップ２６は、モータ２２により回転される光ディスク２０の記録面にレーザ光を集光するとともに、記録面からの反射光を受光することで光ディスク２０からの情報の読み取り（再生）、及び光ディスク２０に対する情報の書き込み（記録）などを行う。そして、図２の矢印ａ，ａ’に示されるように、直線Ｌに沿って、不図示のピックアップ駆動装置によって駆動される。
【００２６】
前記１対の駆動機構３１Ａ,３１Ｂそれぞれは、安定化板３０の＋Ｘ側端部及び−Ｘ側端部の下方に配置されている。駆動機構３１Ａ,３１Ｂそれぞれは、＋Ｚ側端部が安定化板３０下面の＋Ｘ側端部及び−Ｘ側端部にそれぞれ接続され、上下方向に移動する駆動部３１ａを有している。制御装置（不図示）は、駆動機構３１Ａ,３１Ｂをそれぞれ駆動することにより、駆動部３１ａを下方に移動して、例えば、図３（Ａ）に示されるように、安定化板３０の光ディスク２０に対向する面（以下、対向面という）を、光ディスク２０に対し凸形状に変形し、駆動部３１ａを上方に移動して、例えば図３（Ｂ）に示されるように、安定化板３０の対向面を光ディスク２０に対し凹形状に変形することができるようになっている。ここで、本実施形態では一例として、駆動部３１ａは、図１に示されるように、安定化板３０の対向面が水平になるときの位置（以下、基準位置という）から、上下方向へ±２ｍｍ程度のストロークで移動するものとする。
【００２７】
次に、上述のように構成されたディスク装置１００の動作について説明する。ディスクチャック２４に光ディスク２０が装着されると、制御装置は、駆動機構３１Ａ,３１Ｂの駆動部３１ａを基準位置から下方へ１ｍｍの位置まで駆動して、図３（Ａ）に示されるように、安定化板３０の対向面を光ディスク２０に対して、凸形状（曲率半径１０００ｍｍ）に変形して、光ディスク２０の回転を開始する。次に、光ディスク２０の回転数が予め設定された、例えば３０００ｒｐｍ以上になると、制御装置は、駆動機構３１Ａ,３１Ｂの駆動部３１ａを基準位置まで駆動して、図１に示されるように安定化板３０の対向面を平面か、又は基準位置から上方へ１ｍｍの位置まで駆動して、図３（Ｂ）に示されるように、光ディスク２０に対して凹形状（曲率半径１０００ｍｍ）に変形させる。
【００２８】
これにより、３０００ｒｐｍ以上で回転する光ディスク２０には、遠心力により水平な状態になろうとする復元力と、その回転と安定化板３０の対向面の作用により生じる空気流の差に基づく圧力変化による反発力が発生する。その際に、安定化板３０の対向面が空気力学的に作用することにより生じる反発力は、光ディスク２０に生じる復元力を打ち消すように作用し、いわゆる光ディスク２０の面ぶれ（光ディスク２０の回転方向の振れ）が低減される。
【００２９】
安定化板３０の対向面の作用により、光ディスク２０の面ぶれが抑制されると、制御装置は、ピックアップ２６を駆動して、光ディスク２０に対し、情報の記録又は再生を行う。そして、制御装置は、光ディスク２０に対する情報の記録又は再生が終了すると、駆動機構３１Ａ,３１Ｂの駆動部３１ａを基準位置から下方へ１ｍｍの位置まで駆動して、図３（Ａ）に示されるように、安定化板３０の対向面を光ディスク２０に対して凸形状に変形して、光ディスク２０の回転を停止する。
【００３０】
以上説明したように、本第１の実施形態に係るディスク装置１００によると、モータ２２を介して光ディスク２０の回転を開始する際、及び停止する際には、駆動機構３１Ａ,３１Ｂにより安定化板３０の対向面が光ディスク２０に対し凸形状となるように変形される。したがって、光ディスク２０の駆動時及び停止時など、光ディスク２０の回転数が低いときに、安定化板３０の対向面と光ディスク２０の表面とが摺動することにより、ディスク表面に生じる傷等の発生を低減することができ、長期にわたってディスクの品質を維持し、情報の再生及び記録の少なくとも一方を精度よく行なうことが可能となる。
【００３１】
《第２の実施形態》
次に、本発明の第２の実施形態を、図４〜図７（Ｂ）に基づいて説明する。ここで、前述した第１の実施形態と同一又は同等の構成部分については、同一の符号を用いるとともに説明を簡略し又は省略するものとする。
【００３２】
図４には、第２の実施形態に係るディスク装置１０１の概略構成が、後述するディスクトレイ４１とともに示されている。このディスク装置１０１は、図４に示されるように、Ｚ軸に平行な回転軸２２ａを有するモータ２２、該モータ２２の回転軸２２ａの＋Ｚ側端部に固定されたディスクチャック２４、光ディスク２０に対し情報の記録及び再生を行うピックアップ２６、ディスクトレイ４１を着脱自在に支持する支持機構４２、支持機構４２に支持されたディスクトレイ４１の下方に配置された駆動機構３１Ａ,３１Ｂ、上記各部を収容する本体（ハウジング）１０、及び上記各部を統括的に制御する不図示の制御装置などを備え、更にハウジング１０には、一例として、図５に示されるディスクカートリッジ４０が装着可能となっている。そして、ディスクカートリッジ４０の内部には、図５に示されるように、光ディスク２０が載置された複数（例えば１０個）のディスクトレイ４１が着脱自在に収納されている。
【００３３】
前記ディスクトレイ４１は、例えば、厚さ５００μｍで、１辺の長さが１３０ｍｍのポリカーボネイト製の正方形板状の部材を有している。このディスクトレイ４１は、図６の平面図に示されるように、中央に円形開口４１ｃが形成され、この円形開口４１ｃの＋Ｘ側及び−Ｘ側に、円形開口４１ｃと同心で、直径１２３ｍｍの円の一部を形成する、１対の円弧状の切れ込み４１ｂが形成されている。
【００３４】
図４に戻り、光ディスク２０が載置されたディスクトレイ４１は、ディスク装置１０１に装着されたディスクカートリッジ４０から、不図示の搬送装置により搬出されると、ディスクチャック２４の上方から支持機構４２の上面に載置される。これにより、光ディスク２０は、ディスクトレイ４１の円形開口４１ｃから突出した、ディスクチャック２４に装着され、ディスクトレイ４１上面から約１５０μｍ上方の位置で支持される。
【００３５】
支持機構４２は、ディスクトレイ４１が載置されると、図６に示されるように、ディスクトレイ４１の下面のうち、Ｙ軸に平行でディスクトレイ４１の中心を通る直線Ｌから−Ｘ方向及び＋Ｘ方向へ距離Ｓ（ここでは１５ｍｍ程度とする）隔てたＹ軸に平行な２本の直線と、ディスクトレイ４１下面の外周とによって規定される領域、すなわち図２において着色された領域（以下、単に支持領域という）を、例えば吸着支持するようになっている。これにより、ディスクトレイ４１の１対の切れ込み４１ｂと支持領域とに囲まれた、１対の略半円形の部分（以下、単に可動部という）４１ａが、支持領域に対し可撓性の範囲で変形可能となる。
【００３６】
駆動機構３１Ａ,３１Ｂそれぞれは、ディスクトレイ４１が支持機構４２に支持されると、駆動部３１ａの＋Ｚ側端部を、１対の可動部４１ａの＋Ｘ側端部及び−Ｘ側端部にそれぞれ吸着させる。制御装置（不図示）は、駆動機構３１Ａ,３１Ｂをそれぞれ駆動することにより、駆動部３１ａを下方に移動して、例えば、図７（Ａ）に示されるように、一対の可動部４１ａの＋Ｘ側端及び−Ｘ側端をそれぞれ下降させることで、ディスクトレイ４１の光ディスク２０に対向する面（以下、対向面という）を、光ディスク２０に対し凸形状に変形し、駆動部３１ａを上方に移動して、例えば図７（Ｂ）に示されるように、一対の可動部４１ａの＋Ｘ側端及び−Ｘ側端をそれぞれ上昇させることで、ディスクトレイ４１の対向面を光ディスク２０に対し凹形状に変形することができるようになっている。
【００３７】
次に、上述のように構成されたディスク装置１０１の動作について説明する。前提として、ディスクトレイ４１に載置された状態で、ディスクカートリッジ４０に収容されていた光ディスク２０は、搬送装置（不図示）によりディスクカートリッジ４０から搬出され、図１に示されるように、ディスクチャック２４に装着され、ディスクトレイ４１は支持機構４２に吸着支持されているものとする。
【００３８】
制御装置（不図示）は、駆動機構３１Ａ,３１Ｂの駆動部３１ａを基準位置から下方へ１ｍｍの位置まで駆動して、図７（Ａ）に示されるように、ディスクトレイ４１の対向面を光ディスク２０に対して凸形状（曲率半径１０００ｍｍ）に変形して、光ディスク２０の回転を開始する。次に、光ディスク２０の回転数が予め設定された、例えば３０００ｒｐｍ以上になると、制御装置は、駆動機構３１Ａ,３１Ｂの駆動部３１ａを基準位置まで駆動して、図４に示されるように、ディスクトレイ４１の対向面を平面か、又は駆動部３１ａを基準位置から上方へ１ｍｍの位置まで駆動して、図７（Ｂ）に示されるように、光ディスク２０に対して凹形状（曲率半径１０００ｍｍ）に変形させる。
【００３９】
これにより、３０００ｒｐｍ以上で回転する光ディスク２０には、遠心力により水平な状態になろうとする復元力と、その回転とディスクトレイ４１の対向面の作用により生じる空気流の差に基づく圧力変化による反発力が発生する。その際に、ディスクトレイ４１の対向面が空気力学的に作用することにより生じる反発力は、光ディスク２０に生じる復元力を打ち消すように作用し、いわゆる光ディスク２０の面ぶれ（光ディスク２０の回転方向の振れ）が低減される。
【００４０】
ディスクトレイ４１の対向面の作用により、光ディスク２０の面ぶれが抑制されると、制御装置は、ピックアップ２６を駆動して、光ディスク２０に対し、情報の記録又は再生を行う。そして、制御装置は、光ディスク２０に対する情報の記録又は再生が終了すると、駆動機構３１Ａ,３１Ｂの駆動部３１ａを、基準位置から下方へ１ｍｍの位置まで駆動して、図７（Ａ）に示されるように、ディスクトレイ４１の対向面を光ディスク２０に対して凸形状に変形して、光ディスク２０の回転を停止する。
【００４１】
以上説明したように、本第２の実施形態に係るディスク装置１０１によると、モータ２２を介して光ディスク２０の回転を開始する際、及び停止する際には、駆動機構３１Ａ,３１Ｂによりディスクトレイ４１の対向面が、光ディスク２０に対し凸形状となるように変形される。したがって、ディスク２０の駆動時及び停止時など、光ディスク２０の回転数が低いときに、ディスクトレイ４１の対向面と光ディスク２０の表面とが摺動することにより、ディスク表面に生じる傷等の発生を低減することができ、長期にわたってディスクの品質を維持し、情報の再生及び記録の少なくとも一方を精度よく行なうことが可能となる。
【００４２】
また、可撓性を有するディスクは、ハード基板をディスク基板とする従来のディスク（以下、単に従来型ディスクという）に比べて厚みが薄いことから、ディスクカートリッジに複数枚の記録ディスクを収納することが可能となる。一般に、可撓性を有するディスクは、可撓性を有しているが故に、従来型ディスクに比べて取り扱いが困難で、ディスクトレイ等に収容された状態で搬送等のハンドリングを行なうことが望ましい。本実施形態にかかるディスク装置１０１では、光ディスク２０はディスクトレイ４１に載置された状態でディスクカートリッジ４０に収容され、情報の記録及び再生を行な際には、ディスクトレイ４１に載置された状態でディスクカートリッジ４０から搬送され、ディスクトレイ４１が支持機構４２に載置されることで、ディスクチャック２４に装着される。したがって、光ディスク２０の搬送ミスによる、記録面の損傷や情報の欠落等のトラブルを回避することができ、長期にわたってディスクの信頼性を維持することが可能となる。
【００４３】
また、本実施形態に係るディスク装置１０１では、ディスクトレイ４１の対向面を変形することで、光ディスク２０に対し空気力学的な力を作用させ、光ディスク２０の回転を安定化させている。これにより、ディスクトレイ４１それぞれに別途安定化板を配置する必要がなく、ディスクカートリッジ４０に収容される光ディスク２０の枚数が制限をうけることもない。したがって、ディスクカートリッジ４０の小型化及び高密度化を実現することが可能となっている。
【００４４】
また、上記実施形態では、駆動機構３１Ａ,３１Ｂの駆動部３１ａは、ディスクトレイ４１に形成された可動部４１ａの＋Ｘ側端部及び−Ｘ側端部を吸着することとしたが、これに限らず、例えば図８（Ａ）に示されるように、ディスクトレイ４１の切れ込み４１ｂの＋Ｘ側端及び−Ｘ側端の幅を広げ、ディスクトレイ４１が支持機構４２に載置されたときに、駆動機構３１Ａ,３１Ｂの駆動部３１ａを駆動するなどして、図８（Ｂ）に代表的に示されるように、駆動部３１ａの端部をディスクトレイ４１の可動部４１ａの＋Ｘ側端部及び−Ｘ側端部にそれぞれ係止するようにしてもよい。
【００４５】
また、例えば図９（Ａ）に代表的に示される駆動機構３１Ｂのように、駆動機構３１Ａ,３１Ｂの駆動部３１ａの＋Ｚ側端部に、ディスクトレイ４１が支持機構４２に載置されることで切れ込み４１ｂに挿入可能な倒立部３１ｃを設け、この倒立部３１ｃを図９（Ｂ）に示されるように倒すことで、ディスクトレイ４１の可動部４１ａの＋Ｘ側端及び−Ｘ側端を把持してもよい。
【００４６】
また、上記実施形態では、光ディスク２０がディスクトレイ４１に載置されている場合について説明したが、例えば、図１０に示されるように、光ディスク２０はディスクトレイ４１と、上部カバー５０とからなるケース等に収容されていてもよい。
【００４７】
なお、上記各実施形態では、駆動機構３１Ａ,３１Ｂの駆動部３１ａは、安定化板３０及びディスクトレイ４１それぞれの対向面の、＋Ｘ側及び−Ｘ側の端部を上昇さることにより対向面を光ディスク２０に対し凹形状に変形したが、例えば図１１（Ａ）に示されるように、駆動機構３１Ａ,３１Ｂの駆動部３１ａの上面に、空気力学的に有効な作用面形状の凹圧面を形成し、この押圧面３１ｂにより、図１１（Ｂ）に示されるように、安定化板３０又はディスクトレイ４１の対向面の反対の面を押圧して、対向面を光ディスク２０に対して凹形状に変形させてもよい。この場合には、対向面の形状は駆動部３１ａの押圧面３１ｂの形状により決定されるので、安定化面の形状安定性は安定化板３０及びディスクトレイ４１の剛性に左右されることはなく、例えば、安定化板３０及びディスクトレイ４１の素材として、厚さ１００μｍのポリカーボネイト、又は厚さ５０μｍのポリエチレンテフタレートなどを用いることが可能となる。
【００４８】
また、上記各実施形態では、安定化板３０及びディスクトレイ４１は、図２及び図６に示されるように、対向面の反対の面のうち、Ｙ軸に平行で対向面の中心を通る直線Ｌから−Ｘ方向及び＋Ｘ方向へ距離Ｓ（ここでは１５ｍｍ程度とする）隔てたＹ軸に平行な２本の直線に囲まれる部分が支持されていたが、これに限らず、図１２に代表的に示される安定化板３０のように、例えばディスクチャック２４が挿入される円形開口３０ａや、ディスクトレイ４１の円形開口４１ｃの周囲のみを支持してもよい。また、ディスクトレイ４１を支持する場合には、例えば図１３に示されるように対向面以外の複数箇所を、例えば複数の支持機構４２等で支持してもよい。
【００４９】
また、上記各実施形態における対向面の曲率半径の値は、実験やシミュレーション等により使用するディスクに応じて最適な値とすればよい。例えば、ディスクの外径が小さくなればそれに応じて対向面の外径も小さくすればよく、ディスク基板の厚さや材質が光ディスク２０と異なるものを用いる場合には、それに応じて最適な対向面の形状を決定すればよい。
【００５０】
また、上記各実施形態では、光ディスク２０の回転を開始する際及び停止する際に、安定化板３０及びディスクトレイ４１の対向面を、光ディスク２０に対して凸形状となるように変形することとしたが、これに限らず、光ディスク２０の回転数が低いとき、例えばディスク装置１００,１０１では、光ディスク２０の回転数が３０００ｒｐｍ以下のときに、安定化板３０及びディスクトレイ４１の対向面を、光ディスク２０に対して凸形状とすることで光ディスク２０と、安定化板３０及びディスクトレイ４１とが干渉するのを回避することが可能となる。
【００５１】
また、上記各実施形態では、ディスク装置１００，１０１が１つのピックアップ２６を備えている場合について説明したが、これに限らず、例えば、ピックアップ２６の他に、ディスクチャック２４を挟んで他のピックアップを配置してもよい。このようにすれば、ディスク装置１００,１０１で、例えば２つのピックアップを用いた転送レートの高速化が測れるようになる。また、ピックアップ２６の移動経路もＹ軸方向に限られるものではなく、光ディスク２０の面ぶれが最も少ない部分を経路とすればよい。
【００５２】
また、上記各実施形態では、安定化板３０及びディスクトレイ４１が、ポリカーボネイト製の部材である場合について説明したが、これに限らず、安定化板３０及びディスクトレイ４１の素材としては、厚さ約２５０μｍ以上のポリエチレンテフタレート製の素材、又は厚さ約５μｍ以上のステンレス製の素材を用いることができる。
【００５３】
また、上記各実施形態では、安定化板３０により可撓性のある光ディスク２０を安定化する場合について説明したが、これに限らず、例えば、磁気ディスクや光磁気ディスクなどの可撓性を有するディスクにも好適である。
【産業上の利用可能性】
【００５４】
以上説明したように、本発明のディスカートリッジは、可撓性のあるディスクを収容するのに適しており、本発明のディスク装置は、可撓性のあるディスクに対し、情報の再生及び記録を行うのに適しており、本発明のディスク駆動方法は、可撓性のあるディスクを駆動するのに適している。
【図面の簡単な説明】
【００５５】
【図１】本発明の第１の実施形態に係る、ディスク装置１００の概略的な構成を示す図である。
【図２】安定化板３０を示す平面図である。
【図３】図３（Ａ）及び図３（Ｂ）は、ディスク装置１００の動作を説明するための図（その１,その２）である。
【図４】本発明の第２の実施形態に係る、ディスク装置１０１の概略的な構成を示す図である。
【図５】ディスクカートリッジ４０の概略的な構成を示す図である。
【図６】ディスクトレイ４１を示す平面図である。
【図７】図７（Ａ）及び図７（Ｂ）は、ディスク装置１０１の動作を説明するための図（その１,その２）である。
【図８】図８（Ａ）及び図８（Ｂ）は、第２の実施形態に係るディスク装置１０１の変形例を説明するための図（その１,その２）である。
【図９】図９（Ａ）及び図９（Ｂ）は、第２の実施形態に係るディスク装置１０１の変形例を説明するための図（その３,その４）である。
【図１０】第２の実施形態に係るディスク装置１０１の変形例を説明するための図（その５）である。
【図１１】第１の実施形態に係るディスク装置１００,及び第２の実施形態に係るディスク装置１０１の変形例を説明するための図（その１）である。
【図１２】第１の実施形態に係るディスク装置１００,及び第２の実施形態に係るディスク装置１０１の変形例を説明するための図（その２）である。
【図１３】第１の実施形態に係るディスク装置１００,及び第２の実施形態に係るディスク装置１０１の変形例を説明するための図（その３）である。
【符号の説明】
【００５６】
１０…本体（ハウジング）、２０…光ディスク、２６…ピックアップ、２４…ディスクチャック、２２…モータ、２２ａ…回転軸、３０…安定化板、３０ａ…円形開口、３１Ａ,３１Ｂ…駆動機構、３１ａ…駆動部、３１ｂ…押圧面、３１ｃ…倒立部、３２…固定部材、４０…ディスクカートリッジ、４１…ディスクトレイ、４１ａ…可動部、４１ｂ…切れ込み、４１ｃ…円形開口、４２…支持機構、５０…上部カバー、１００,１０１…ディスク装置。
【図１】
2008010050.tif 000003
【図２】
2008010050.tif 000004
【図３】
2008010050.tif 000005
【図４】
2008010050.tif 000006
【図５】
2008010050.tif 000007
【図６】
2008010050.tif 000008
【図７】
2008010050.tif 000009
【図８】
2008010050.tif 000010
【図９】
2008010050.tif 000011
【図１０】
2008010050.tif 000012
【図１１】
2008010050.tif 000013
【図１２】
2008010050.tif 000014
【図１３】
2008010050.tif 000015